(57)【特許請求の範囲】
【請求項１】
キャリア・アグリゲーション伝送ベースの無線通信ネットワークのユーザ機器において、二次セル群内の複数の二次セルの上で前記ユーザ機器のアップリンク伝送を制御する方法であって、前記ユーザ機器は、一次セル群と、少なくとも１つの二次セル群とを用いて構成されており、前記二次セル群は、前記少なくとも１つの二次セル群に属しており、また前記一次セル群はタイム・アライメント・タイマーを用いて構成され、前記少なくとも１つの二次セル群は、別のタイム・アラインメント・タイマーを用いて構成されており、前記アップリンク伝送は、サウンディング基準信号伝送を含み、前記方法は、
Ａ．前記一次セル群の前記タイム・アラインメント・タイマーが期限切れになるときに、前記二次セル群の中の少なくとも１つのアクティブにされた二次セルの上で前記アップリンク伝送を終了させるステップを含み、
前記ステップＡは、
前記二次セル群の中の前記複数の二次セルのサウンディング基準信号伝送の構成を解放するステップ、
を含む、方法。
【請求項２】
前記ステップＡは、
第１のＲＲＣメッセージを基地局から受信するステップであって、該第１のＲＲＣメッセージは、前記二次セル群の中の前記複数の二次セルのサウンディング基準信号伝送の構成を解放するために使用される、受信するステップと、
前記第１のＲＲＣメッセージに応じて、前記二次セル群の中の前記複数の二次セルの前記サウンディング基準信号伝送の前記構成を解放するステップと、
を含む、請求項１に記載の方法。
【請求項３】
前記複数の二次セルは、前記少なくとも１つのアクティブにされた二次セルを備える、請求項１または２に記載の方法。
【請求項４】
前記ステップＡは、
前記二次セル群の中の前記少なくとも１つのアクティブにされた二次セルを非アクティブにするステップ、
を含む、請求項１に記載の方法。
【請求項５】
前記ステップＡは、
第１のＭＡＣ  ＣＥメッセージを基地局から受信するステップであって、該第１のＭＡＣ  ＣＥメッセージは、前記二次セル群の中の前記少なくとも１つのアクティブにされた二次セルを非アクティブにするために使用される、受信するステップと、
前記第１のＭＡＣ  ＣＥメッセージに応じて、前記二次セル群の中の前記少なくとも１つのアクティブにされた二次セルを非アクティブにするステップと、
を含む、請求項１に記載の方法。
【請求項６】
前記一次セル群の前記タイム・アラインメント・タイマーが計数を再開するときに、前記方法は、
Ｂ．第２のＲＲＣメッセージを基地局から受信するステップであって、該第２のＲＲＣメッセージは、前記二次セル群の中の前記解放された二次セルの前記サウンディング基準信号伝送の前記構成を再構成するために使用される、受信するステップと、
Ｃ．前記第２のＲＲＣメッセージに応じて、前記二次セル群の中の前記解放された二次セルの前記サウンディング基準信号伝送の前記構成を再構成するステップと、
をさらに含む、請求項１または２に記載の方法。
【請求項７】
前記一次セル群の前記タイム・アラインメント・タイマーが計数を再開するときに、前記方法は、
Ｂ’．前記二次セル群の中の前記非アクティブにされた二次セルを自動的に再びアクティブにするステップ、
をさらに含む、請求項４または５に記載の方法。
【請求項８】
前記方法は、
Ｂ”．第２のＭＡＣ  ＣＥメッセージを基地局から受信するステップであって、該第２のＭＡＣ  ＣＥメッセージは、前記二次セル群の中の前記非アクティブにされた二次セルを再びアクティブにするために使用される、受信するステップと、
Ｃ”．前記第２のＭＡＣ  ＣＥメッセージに応じて、前記二次セル群の中の前記非アクティブにされた二次セルを再びアクティブにするステップと、
をさらに含む、請求項４または５に記載の方法。
【請求項９】
キャリア・アグリゲーション伝送ベースの無線通信ネットワークの基地局において、二次セル群内の複数の二次セルの上でユーザ機器のアップリンク伝送を制御する方法であって、前記ユーザ機器は、一次セル群と、少なくとも１つの二次セル群とを用いて構成されており、前記二次セル群は、前記少なくとも１つの二次セル群に属しており、また前記一次セル群はタイム・アライメント・タイマーを用いて構成され、前記少なくとも１つの二次セル群は、別のタイム・アラインメント・タイマーを用いて構成されており、前記方法は、
ａ．前記一次セル群の前記タイム・アラインメント・タイマーが期限切れになるときに、第１のＲＲＣメッセージを前記ユーザ機器に対して送信するステップを含み、該第１のＲＲＣメッセージは、前記二次セル群の中の前記複数の二次セルのサウンディング基準信号伝送の構成を解放するために使用される、方法。
【請求項１０】
前記複数の二次セルは、少なくとも１つのアクティブにされた二次セルを備える、請求項９に記載の方法。
【請求項１１】
前記一次セル群の前記タイム・アラインメント・タイマーが計数を再開するときに、前記方法は、
ｂ．第２のＲＲＣメッセージを前記ユーザ機器に対して送信するステップをさらに含み、該第２のＲＲＣメッセージは、前記二次セル群の中の前記解放された二次セルの前記サウンディング基準信号伝送の前記構成を再構成するために使用される、請求項９に記載の方法。
【請求項１２】
キャリア・アグリゲーション伝送ベースの無線通信ネットワークのユーザ機器において、二次セル群内の複数の二次セルの上で前記ユーザ機器のアップリンク伝送を制御する方法であって、前記ユーザ機器は、一次セル群と、少なくとも１つの二次セル群とを用いて構成されており、前記二次セル群は、前記少なくとも１つの二次セル群に属しており、また前記一次セル群と、前記少なくとも１つの二次セル群とは、共通のタイム・アラインメント・タイマーを用いて構成されており、前記アップリンク伝送は、サウンディング基準信号伝送を含み、前記方法は、
Ｉ．前記タイム・アラインメント・タイマーが、動作しているときに、前記二次セル群のタイム・アラインメント値が、有効であるかどうかを判定するステップと、
ＩＩ．前記二次セル群の前記タイム・アラインメント値が無効である場合に、前記二次セル群の中の少なくとも１つのアクティブにされた二次セルの上で前記アップリンク伝送を終了させるステップと、
通知メッセージを基地局に対して送信するステップとを含み、
前記ステップＩＩは、
前記二次セル群の中の前記複数の二次セルのサウンディング基準信号伝送の構成を解放するステップ、
を含む、方法。
【請求項１３】
前記通知メッセージは、前記二次セル群の中の前記複数の二次セルの前記サウンディング基準信号伝送の前記構成が取り除かれることを、前記基地局に通知するために使用される、方法。
【請求項１４】
前記複数の二次セルは、前記少なくとも１つのアクティブにされた二次セルを備える、請求項１２に記載の方法。
【請求項１５】
前記ステップＩＩは、
前記二次セル群の中の前記少なくとも１つのアクティブにされた二次セルを非アクティブにするステップ、
を含み、また前記通知メッセージは、前記二次セル群の中の前記少なくとも１つのアクティブにされた二次セルが、非アクティブにされることを前記基地局に通知するために使用される、請求項１２に記載の方法。
【請求項１６】
キャリア・アグリゲーション伝送ベースの無線通信ネットワークの基地局において、二次セル群内の複数の二次セルの上でユーザ機器のアップリンク伝送を制御する方法であって、前記ユーザ機器は、一次セル群と、少なくとも１つの二次セル群とを用いて構成されており、前記二次セル群は、前記少なくとも１つの二次セル群に属しており、また前記一次セル群と、前記少なくとも１つの二次セル群とは、共通のタイム・アラインメント・タイマーを用いて構成されており、前記方法は、
ｉ．前記タイム・アラインメント・タイマーが動作しているときに、前記二次セル群のタイム・アラインメント値が有効であるかどうかを判定するステップと、
ｉｉ．前記二次セル群の前記タイム・アラインメント値が無効である場合に、ＲＲＣメッセージを前記ユーザ機器に対して送信するステップと、
を含み、前記ＲＲＣメッセージは、前記二次セル群の中の前記複数の二次セルのサウンディング基準信号伝送の構成を解放するために使用される、方法。
【請求項１７】
前記複数の二次セルは、少なくとも１つのアクティブにされた二次セルを備える、請求項１６に記載の方法。
【請求項１８】
キャリア・アグリゲーション伝送ベースの無線通信ネットワークのユーザ機器において、二次セル群内の複数の二次セルの上で前記ユーザ機器のアップリンク伝送を制御する方法であって、前記ユーザ機器は、一次セル群と、少なくとも１つの二次セル群とを用いて構成されており、前記二次セル群は、前記少なくとも１つの二次セル群に属しており、また前記一次セル群と、前記少なくとも１つの二次セル群とは、共通のタイム・アラインメント・タイマーを用いて構成されており、前記方法は、
前記タイム・アラインメント・タイマーが動作しているときに、前記二次セル群のタイム・アラインメント値が有効であるかどうかを判定するステップと、
前記二次セル群の前記タイム・アラインメント値が無効である場合に、通知メッセージを前記基地局に対して送信するステップと、
を含み、前記通知メッセージは、前記二次セル群の前記タイム・アラインメント値が無効であることを、前記基地局に通知するために使用され、
前記二次セル群の中の前記複数の二次セルのサウンディング基準信号の構成を解放するステップを含む、方法。
【請求項１９】
キャリア・アグリゲーション伝送ベースの無線通信ネットワークの基地局において、二次セル群内の複数の二次セルの上でユーザ機器のアップリンク伝送を制御する方法であって、前記ユーザ機器は、一次セル群と、少なくとも１つの二次セル群とを用いて構成されており、前記二次セル群は、前記少なくとも１つの二次セル群に属しており、また前記一次セル群と、前記少なくとも１つの二次セル群とは、共通のタイム・アラインメント・タイマーを用いて構成されており、前記方法は、
通知メッセージを前記ユーザ機器から受信するステップであって、該通知メッセージは、前記二次セル群のタイム・アラインメント値が無効であることを前記基地局に通知するために使用される、受信するステップと、
前記通知メッセージに応じて、ＲＲＣメッセージを前記ユーザ機器に対して送信するステップであって、該ＲＲＣメッセージは、前記二次セル群の中の前記複数の二次セルのサウンディング基準信号伝送の構成を解放するために使用されている、送信するステップ、又は、
ＭＡＣ  ＣＥメッセージを前記ユーザ機器に対して送信するステップであって、該ＭＡＣ  ＣＥメッセージは、前記二次セル群の中の少なくとも１つのアクティブにされた二次セルを非アクティブにするために使用される、送信するステップと、
を含む、方法。
【請求項２０】
前記複数の二次セルは、前記少なくとも１つのアクティブにされた二次セルを備える、請求項１９に記載の方法。
【請求項２１】
キャリア・アグリゲーション伝送ベースの無線通信ネットワークの基地局において、二次セル群内の複数の二次セルの上でユーザ機器のアップリンク伝送を制御する方法であって、前記ユーザ機器は、一次セル群と、少なくとも１つの二次セル群とを用いて構成されており、前記二次セル群は、前記少なくとも１つの二次セル群に属しており、また前記一次セル群と、前記少なくとも１つの二次セル群とは、共通のタイム・アラインメント・タイマーを用いて構成されており、前記タイム・アラインメント・タイマーが時間切れになるときに、前記方法は、
前記二次セル群のタイム・アラインメント値が、有効であるかどうかを判定するステップと、
前記二次セル群の前記タイム・アラインメント値が有効である場合に、前記二次セル群の前記有効なタイム・アラインメント値を保持するステップと、
前記二次セル群の前記タイム・アラインメント値が無効である場合に、前記二次セル群の前記タイム・アラインメント値を破棄し、前記二次セル群の中の前記複数の二次セルのサウンディング基準信号伝送の構成を解放するステップと、
を含む、方法。
【請求項２２】
前記タイム・アラインメント・タイマーが計数を再開し、また前記基地局が前記二次セル群の前記有効なタイム・アラインメント値を保持するときに、前記方法は、
第２のメッセージを経由して前記二次セル群の前記有効なタイム・アラインメント値を前記ユーザ機器に対して送信するステップ、
をさらに含む、請求項２１に記載の方法。
【請求項２３】
前記第２のメッセージは、
ＲＲＣメッセージと、
ＭＡＣ  ＣＥメッセージと
のうちのいずれか一方を含む、請求項２２に記載の方法。
【請求項２４】
前記タイム・アラインメント・タイマーが計数を再開し、また前記基地局が前記二次セル群の前記タイム・アラインメント値を破棄するときに、前記方法は、
前記二次セル群の中の少なくとも１つのアクティブにされた二次セルのサウンディング基準信号伝送の構成が解放される場合に、前記二次セル群の上で、ランダム・アクセス・プロシージャをトリガするように前記ユーザ機器に指示するためにＰＤＣＣＨ命令信号を前記ユーザ機器に対して送信するステップ、及び、
次いで前記二次セル群の中の前記解放された二次セルの前記サウンディング基準信号伝送の前記構成を再構成するように前記ユーザ機器に指示するために、ＲＲＣメッセージを前記ユーザ機器に対して送信するステップと、
前記二次セル群の中の前記少なくとも１つのアクティブにされた二次セルが非アクティブにされる場合に、前記二次セル群の中の前記非アクティブにされた二次セルを再びアクティブにするように前記ユーザ機器に指示するために、また前記アップリンク伝送を実行しないように前記ユーザ機器に指示するためにＭＡＣ  ＣＥメッセージを前記ユーザ機器に対して送信するステップ、及び、
次いで前記二次セル群の上で前記ランダム・アクセス・プロシージャをトリガするように前記ユーザ機器に指示するために、ＰＤＣＣＨ命令信号を送信するステップと、
を含む、請求項２１に記載の方法。
【請求項２５】
キャリア・アグリゲーション伝送ベースの無線通信ネットワークの基地局において、二次セル群内の複数の二次セルの上でユーザ機器のアップリンク伝送を制御する方法であって、前記ユーザ機器は、一次セル群と、少なくとも１つの二次セル群とを用いて構成されており、前記二次セル群は、前記少なくとも１つの二次セル群に属しており、また前記一次セル群と、前記少なくとも１つの二次セル群とは、共通のタイム・アラインメント・タイマーを用いて構成されており、前記タイム・アラインメント・タイマーが時間切れになるときに、前記方法は、
前記二次セル群のタイム・アラインメント値を破棄するステップと、
前記二次セル群の中の前記複数の二次セルのサウンディング基準信号伝送の構成を解放するステップと、
を含む方法。
【請求項２６】
前記タイム・アラインメント・タイマーが計数を再開するときに、前記方法は、
ＲＲＣメッセージを前記ユーザ機器に対して送信するステップであって、該ＲＲＣメッセージは、前記二次セル群の中の前記複数の二次セルのサウンディング基準信号伝送の構成を解放するために使用されている、送信するステップ、又は、
ＭＡＣ  ＣＥメッセージを前記ユーザ機器に対して送信するステップであって、前記ＭＡＣ  ＣＥメッセージは、前記二次セル群の中の少なくとも１つのアクティブにされた二次セルを非アクティブにするために使用される、送信するステップと、
前記二次セル群の中の、ランダム・アクセスを用いて構成された二次セルがアクティブなステータスにある場合に、ＰＤＣＣＨ命令信号を前記ユーザ機器に対して送信するステップであって、該ＰＤＣＣＨ命令信号は、ランダム・アクセス・プロシージャをトリガするように前記ユーザ機器に指示するために使用される、送信するステップと、
前記二次セル群の中の、前記ランダム・アクセスを用いて構成された前記二次セルが、非アクティブなステータスにある場合に、
ＭＡＣ  ＣＥメッセージを前記ユーザ機器に対して送信するステップであって、該ＭＡＣ  ＣＥメッセージは、前記二次セル群の中の、前記ランダム・アクセスを用いて構成された前記二次セルをアクティブにするように前記ユーザ機器に指示し、８ｍｓ後にアップリンク伝送を実行しないように、前記ユーザ機器に指示するために、及び、前記ランダム・アクセス・プロシージャをトリガするように前記ユーザ機器に指示するために使用される、送信するステップ、又は、
ＭＡＣ  ＣＥメッセージを前記ユーザ機器に対して送信するステップ、次いでＰＤＣＣＨ命令信号を前記ユーザ機器に対して送信するステップであって、該ＭＡＣ  ＣＥメッセージは、前記二次セル群の中の、前記ランダム・アクセスを用いて構成された前記二次セルをアクティブにするように前記ユーザ機器に指示し、及び、８ｍｓ後に前記アップリンク伝送を実行しないように前記ユーザ機器に指示するために使用されている、送信するステップ、及び、次いでＰＤＣＣＨ命令信号を前記ユーザ機器に対して送信するステップであって、該ＰＤＣＣＨ命令信号は、前記ランダム・アクセス・プロシージャをトリガするように前記ユーザ機器に指示するために使用される、送信するステップと、
を含む、請求項２５に記載の方法。
【発明の詳細な説明】
【技術分野】
【０００１】
本開示は、キャリア・アグリゲーション・ベースの無線通信に関し、また詳細には、二次セル群内の複数の二次セルの上のユーザ機器のアップリンク伝送を制御する方法に関する。
【背景技術】
【０００２】
通信システムにおいては、ユーザ機器（ＵＥ：ｕｓｅｒ  ｅｑｕｉｐｍｅｎｔ）は、タイム・アラインメント（ＴＡ：ｔｉｍｅ  ａｌｉｇｎｍｅｎｔ）を通して基地局（例えば、ｅノードＢ（ｅＮｏｄｅＢ））とのアップリンク同期化を保持するべきであり、すなわち、基地局のすべてのユーザ機器から送信されるアップリンク信号は、基地局において同期して到着して、それによって他のユーザ機器との深刻な干渉を回避すべきである。
【０００３】
キャリア・アグリゲーション（ＣＡ：Ｃａｒｒｉｅｒ  Ａｇｇｒｅｇａｔｉｏｎ）伝送ベースの無線通信ネットワークにおいては、基地局は、複数のコンポーネント・キャリア（ＣＣ：Ｃｏｍｐｏｎｅｎｔ  Ｃａｒｒｉｅｒｓ）を用いてユーザ機器を構成することができ、その結果、ユーザ機器は、これらのコンポーネント・キャリアの上で基地局と通信することができ、ここではコンポーネント・キャリアのうちの一方は、一次セル（Ｐｒｉｍａｒｙ  Ｃｅｌｌ）（Ｐセル（Ｐｃｅｌｌ））と称され、また他方のコンポーネント・キャリアは、二次セル（Ｓｅｃｏｎｄａｒｙ  Ｃｅｌｌ）（Ｓセル（Ｓｃｅｌｌ））と称される。
【０００４】
ユーザ機器のそれぞれのセルが、同じタイム・アラインメントを共用する３ＧＰＰリリース１０とは違って、タイム・アラインメント・グループ（ＴＡグループ）の概念は、３ＧＰＰリリース１１において提案されている。ユーザ機器のそれぞれのセルは、１つまたは複数のタイム・アラインメント・グループへと分割され、また各タイム・アラインメント・グループの中のセルは、同じタイム・アラインメントを共用する。タイム・アラインメント・グループは、さらに、２つのカテゴリ、すなわち、一次セルを含む一次セル群（Ｐセル・グループ）と、全く一次セルを含まない二次セル群（Ｓセル・グループ）とに分割される。
【０００５】
ユーザ機器の各タイム・アラインメント・グループが、タイム・アラインメント・タイマー（ＴＡＴ：Ｔｉｍｅ  Ａｌｉｇｎｍｅｎｔ  Ｔｉｍｅｒ）を用いて構成されるようなソリューションもまた、３ＧＰＰリリース１１において提案されている。このソリューションに関しては、各タイム・アラインメント・グループは、タイム・アラインメント・タイマーを用いて構成され、それによって一次セル群のタイム・アラインメント・タイマーが期限切れになっているが、二次セル群のタイム・アラインメント・タイマーが依然として動作しているシナリオが、生まれる可能性があり、またこのシナリオは、ユーザ機器の新しい動作についての定義を必要とする可能性がある。
【０００６】
さらに、ユーザ機器が、タイム・アラインメント・タイマーを用いて構成され、すなわち、ユーザ機器の一次セル群と二次セル群とのすべてが、タイム・アラインメント・タイマーを共用するようなソリューションが、３ＧＰＰリリース１１において提案されている。このソリューションに関しては、タイム・アラインメント・タイマーは、一次セル群に基づいて動作して、一次セル群のタイム・アラインメントの有効性を保証する。具体的には、一次セル群のタイム・アラインメント指示（例えば、タイム・アラインメントを最初に設定し、またはタイム・アラインメントをアップデートする）の受信のすぐ後に、ユーザ機器は、タイム・アラインメントを調整し、また受信された指示に応じて、タイム・アラインメント・タイマーを再開し、また二次セル群のタイム・アラインメント指示の受信のすぐ後に、ユーザ機器は、タイム・アラインメントを調整するだけで、受信された指示に応じて、タイム・アラインメント・タイマーを再開しないことになる。タイム・アラインメント・タイマーは、一次セル群だけに基づいて動作するので、そのようなシナリオが、生まれる可能性があり、すなわち、二次セル群のタイム・アラインメント指示が、長い期間にわたって受信されていないので、二次セル群のタイム・アラインメントが、実際には無効にされているが、一次セル群のタイム・アラインメント指示が、連続して受信されているので、タイム・アラインメント・タイマーは、期限切れになっておらず、その結果、ユーザ機器は、二次セル群のタイム・アラインメントが、依然として有効であるとみなし、したがってアップリンク伝送を送信し続け、それにより他のユーザ機器との深刻な干渉を結果としてもたらす。
【先行技術文献】
【非特許文献】
【０００７】
【非特許文献１】３ＧＰＰリリース１０
【非特許文献２】３ＧＰＰリリース１１
【発明の概要】
【課題を解決するための手段】
【０００８】
上記の技術的問題を考慮して、本発明の一態様によれば、一実施形態においては、キャリア・アグリゲーション伝送ベースの無線通信ネットワークのユーザ機器において、二次セル群内の複数の二次セルの上でユーザ機器のアップリンク伝送を制御する方法が提供されており、ユーザ機器は、一次セル群と、少なくとも１つの二次セル群とを用いて構成されており、二次セル群は、少なくとも１つの二次セル群に属しており、また一次セル群と、少なくとも１つの二次セル群とは、おのおのタイム・アラインメント・タイマーを用いて構成されており、そこでは、本方法は、一次セル群のタイム・アラインメント・タイマーが、期限切れになるときに、二次セル群内の少なくとも１つのアクティブにされた二次セルの上でアップリンク伝送を終了させるステップを含む。
【０００９】
別の実施形態においては、キャリア・アグリゲーション伝送ベースの無線通信ネットワークの基地局において、二次セル群内の複数の二次セルの上でユーザ機器のアップリンク伝送を制御する方法が提供されており、ユーザ機器は、一次セル群と、少なくとも１つの二次セル群とを用いて構成されており、二次セル群は、少なくとも１つの二次セル群に属しており、また一次セル群と、少なくとも１つの二次セル群とは、おのおのタイム・アラインメント・タイマーを用いて構成されており、そこでは、本方法は、一次セル群のタイム・アラインメント・タイマーが期限切れになるときに、第１のＲＲＣメッセージをユーザ機器に対して送信するステップであって、その第１のＲＲＣメッセージは、二次セル群内の複数の二次セルのサウンディング基準信号伝送の構成を構成解除するために使用されている、送信するステップ、または第１のＭＡＣ  ＣＥメッセージをユーザ機器に対して送信するステップであって、その第１のＭＡＣ  ＣＥメッセージは、二次セル群内の少なくとも１つのアクティブにされた二次セルを非アクティブにするために使用されている、送信するステップを含む。
【００１０】
さらに、本発明の別の態様によれば、一実施形態においては、キャリア・アグリゲーション伝送ベースの無線通信ネットワークのユーザ機器において、二次セル群内の複数の二次セルの上でユーザ機器のアップリンク伝送を制御する方法が提供されており、ユーザ機器は、一次セル群と、少なくとも１つの二次セル群とを用いて構成されており、二次セル群は、少なくとも１つの二次セル群に属しており、また一次セル群と、少なくとも１つの二次セル群とは、共通のタイム・アラインメント・タイマーを用いて構成されており、そこでは、本方法は、タイム・アラインメント・タイマーが動作しているときに、二次セル群のタイム・アラインメント値が有効であるかどうかを判定するステップと、二次セル群のタイム・アラインメント値が無効である場合に、二次セル群内の少なくとも１つのアクティブにされた二次セルの上でアップリンク伝送を終了させるステップ、および通知メッセージを基地局に対して送信するステップとを含む。
【００１１】
別の実施形態においては、キャリア・アグリゲーション伝送ベースの無線通信ネットワークの基地局において、二次セル群内の複数の二次セルの上でユーザ機器のアップリンク伝送を制御する方法が提供されており、ユーザ機器は、一次セル群と、少なくとも１つの二次セル群とを用いて構成されており、二次セル群は、少なくとも１つの二次セル群に属しており、また一次セル群と、少なくとも１つの二次セル群とは、共通のタイム・アラインメント・タイマーを用いて構成されており、そこでは、本方法は、タイム・アラインメント・タイマーが動作しているときに、二次セル群のタイム・アラインメント値が有効であるかどうかを判定するステップと、二次セル群のタイム・アラインメント値が無効である場合に、ＲＲＣメッセージをユーザ機器に対して送信するステップであって、そのＲＲＣメッセージは、二次セル群内の複数の二次セルのサウンディング基準信号伝送の構成を構成解除するために使用されている、送信するステップ、またはＭＡＣ  ＣＥメッセージをユーザ機器に対して送信するステップであって、そのＭＡＣ  ＣＥメッセージは、二次セル群内の少なくとも１つのアクティブにされた二次セルを非アクティブにするために使用されている、送信するステップとを含む。
【００１２】
さらに、本発明のさらなる一態様によれば、一実施形態においては、キャリア・アグリゲーション伝送ベースの無線通信ネットワークの基地局において、二次セル群内の複数の二次セルの上でユーザ機器のアップリンク伝送を制御する方法が提供されており、ユーザ機器は、一次セル群と、少なくとも１つの二次セル群とを用いて構成されており、二次セル群は、少なくとも１つの二次セル群に属しており、また一次セル群と、少なくとも１つの二次セル群とは、共通のタイム・アラインメント・タイマーを用いて構成されており、そこでは、タイム・アラインメント・タイマーが時間切れになるときに、本方法は、二次セル群のタイム・アラインメント値が有効であるかどうかを判定するステップと、二次セル群のタイム・アラインメント値が有効である場合に、二次セル群の有効なタイム・アラインメント値を保持するステップと、二次セル群のタイム・アラインメント値が無効である場合に、二次セル群のタイム・アラインメント値を破棄するステップとを含む。
【００１３】
オプションとして、タイム・アラインメント・タイマーが、計数を再開し、また基地局が、二次セル群の有効なタイム・アラインメント値を保持するときに、本方法は、第２のメッセージを経由して二次セル群の有効なタイム・アラインメント値をユーザ機器に対して送信するステップをさらに含んでいる。
【００１４】
別の実施形態においては、キャリア・アグリゲーション伝送ベースの無線通信ネットワークのユーザ機器において、二次セル群内の複数の二次セルの上でユーザ機器のアップリンク伝送を制御する方法が提供されており、ユーザ機器は、一次セル群と、少なくとも１つの二次セル群とを用いて構成されており、二次セル群は、少なくとも１つの二次セル群に属しており、また一次セル群と、少なくとも１つの二次セル群とは、共通のタイム・アラインメント・タイマーを用いて構成されており、そこでは、タイム・アラインメント・タイマーが時間切れになるときに、本方法は、二次セル群のタイム・アラインメント値を破棄するステップを含む。
【００１５】
オプションとして、タイム・アラインメント・タイマーが、計数を再開するときに、本方法は、第２のメッセージを基地局から受信するステップをさらに含み、その第２のメッセージは、二次セル群の有効なタイム・アラインメント値を含んでいる。
【００１６】
別の実施形態においては、キャリア・アグリゲーション伝送ベースの無線通信ネットワークのユーザ機器において、二次セル群内の複数の二次セルの上でユーザ機器のアップリンク伝送を制御する方法が、提供されており、ユーザ機器は、一次セル群と、少なくとも１つの二次セル群とを用いて構成されており、二次セル群は、少なくとも１つの二次セル群に属しており、また一次セル群と、少なくとも１つの二次セル群とは、共通のタイム・アラインメント・タイマーを用いて構成されており、そこでは、タイム・アラインメント・タイマーが時間切れになるときに、本方法は、二次セル群のタイム・アラインメント値を破棄するステップを含む。
【００１７】
オプションとして、タイム・アラインメント・タイマーが、計数を再開するときに、本方法は、二次セル群内のすべての二次セルの上でアップリンク伝送を終了させるステップと、二次セル群内の、ランダム・アクセスを用いて構成された二次セルが、アクティブなステータスにある場合に、ランダム・アクセスを用いて構成された二次セルの上でランダム・アクセス・プロシージャをイニシャティブをもってトリガするステップ、または基地局からのＰＤＣＣＨ命令信号に応じて、ランダム・アクセスを用いて構成された二次セルの上でランダム・アクセス・プロシージャをトリガするステップと、二次セル群内の、ランダム・アクセスを用いて構成された二次セルが、非アクティブなステータスにある場合、基地局からのＭＡＣ  ＣＥメッセージに応じて、二次セル群内の、ランダム・アクセスを用いて構成された二次セルをアクティブにするステップ、およびランダム・アクセスを用いて構成された二次セルの上でランダム・アクセス・プロシージャを自動的にトリガするステップ、または基地局からのＭＡＣ  ＣＥメッセージに応じて、二次セル群内の、ランダム・アクセスを用いて構成された二次セルをアクティブにするステップ、および基地局からのＰＤＣＣＨ命令信号に応じて、ランダム・アクセスを用いて構成された二次セルの上でランダム・アクセス・プロシージャをトリガするステップとをさらに含む。
【００１８】
別の実施形態においては、キャリア・アグリゲーション伝送ベースの無線通信ネットワークの基地局において、二次セル群内の複数の二次セルの上でユーザ機器のアップリンク伝送を制御する方法が提供されており、ユーザ機器は、一次セル群と、少なくとも１つの二次セル群とを用いて構成されており、二次セル群は、少なくとも１つの二次セル群に属しており、また一次セル群と、少なくとも１つの二次セル群とは、共通のタイム・アラインメント・タイマーを用いて構成されており、そこでは、タイム・アラインメント・タイマーが時間切れになるときに、本方法は、二次セル群のタイム・アラインメント値を破棄するステップを含む。
【００１９】
オプションとして、タイム・アラインメント・タイマーが、計数を再開するときに、本方法は、ＲＲＣメッセージをユーザ機器に対して送信するステップであって、そのＲＲＣメッセージは、二次セル群内の複数の二次セルのサウンディング基準信号伝送の構成を構成解除するために使用されている送信するステップ、またはＭＡＣ  ＣＥメッセージをユーザ機器に対して送信するステップであって、そのＭＡＣ  ＣＥメッセージは、二次セル群内の少なくとも１つのアクティブにされた二次セルを非アクティブにするために使用されている送信するステップと、二次セル群内の、ランダム・アクセスを用いて構成された二次セルが、アクティブなステータスにある場合に、ＰＤＣＣＨ命令信号をユーザ機器に対して送信するステップであって、そのＰＤＣＣＨ命令信号は、ランダム・アクセス・プロシージャをトリガするようにユーザ機器に指示するために使用されている、送信するステップと、二次セル群内の、ランダム・アクセスを用いて構成された二次セルが、非アクティブなステータスにある場合に、ＭＡＣ  ＣＥメッセージをユーザ機器に対して送信するステップであって、そのＭＡＣ  ＣＥメッセージは、二次セル群内の、ランダム・アクセスを用いて構成された二次セルをアクティブにするようにユーザ機器に指示し、８ｍｓ後にアップリンク伝送を実行しないように、ユーザ機器に指示するために、またランダム・アクセス・プロシージャをトリガするようにユーザ機器に指示するために使用されている、送信するステップ、またはＭＡＣ  ＣＥメッセージをユーザ機器に対して送信するステップであって、そのＭＡＣ  ＣＥメッセージは、二次セル群内の、ランダム・アクセスを用いて構成された二次セルをアクティブにするようにユーザ機器に指示し、また８ｍｓ後にアップリンク伝送を実行しないようにユーザ機器に指示するために使用されている、送信するステップ、および次いでＰＤＣＣＨ命令信号をユーザ機器に対して送信するステップであって、そのＰＤＣＣＨ命令信号は、ランダム・アクセス・プロシージャをトリガするようにユーザ機器に指示するために使用されている、送信するステップとを含む。
【００２０】
別の実施形態においては、キャリア・アグリゲーション伝送ベースの無線通信ネットワークのユーザ機器において、二次セル群内の複数の二次セルの上でユーザ機器のアップリンク伝送を制御する方法が、提供されており、ユーザ機器は、一次セル群と、少なくとも１つの二次セル群とを用いて構成されており、二次セル群は、少なくとも１つの二次セル群に属しており、また一次セル群と、少なくとも１つの二次セル群とは、共通のタイム・アラインメント・タイマーを用いて構成されており、そこでは、タイム・アラインメント・タイマーが、時間切れになるときに、本方法は、二次セル群のタイム・アラインメント値を保持するステップを含む。
【００２１】
オプションとして、タイム・アラインメント・タイマーが、計数を再開し、またユーザ機器によって保持される二次セル群のタイム・アラインメント値が有効であるときに、本方法は、新しいタイム・アラインメント値が基地局から受信されるまで、保持されたタイム・アラインメント値を用いてアップリンク伝送を自動的に再開するステップをさらに含む。
【００２２】
別の実施形態においては、キャリア・アグリゲーション伝送ベースの無線通信ネットワークの基地局において、二次セル群内の複数の二次セルの上でユーザ機器のアップリンク伝送を制御する方法が提供されており、ユーザ機器は、一次セル群と、少なくとも１つの二次セル群とを用いて構成されており、二次セル群は、少なくとも１つの二次セル群に属しており、また一次セル群と、少なくとも１つの二次セル群とは、共通のタイム・アラインメント・タイマーを用いて構成されており、そこでは、タイム・アラインメント・タイマーが、期限切れになるときに、本方法は、二次セル群のタイム・アラインメント値が有効であるかどうかを判定するステップと、二次セル群のタイム・アラインメント値が有効である場合に、二次セル群のタイム・アラインメント値を保持するステップと、二次セル群のタイム・アラインメント値が無効である場合に、二次セル群のタイム・アラインメント値を破棄するステップとを含む。
【００２３】
オプションとして、タイム・アラインメント・タイマーが、計数を再開し、また基地局が、二次セル群のタイム・アラインメント値を破棄するときに、本方法は、二次セル群内の少なくとも１つのアクティブにされた二次セルのサウンディング基準信号伝送の構成が構成解除される場合に、二次セル群の上でランダム・アクセス・プロシージャをトリガするようにユーザ機器に指示するために、ＰＤＣＣＨ命令信号をユーザ機器に対して送信するステップ、および次いで二次セル群内の構成解除された二次セルのサウンディング基準信号伝送の構成を再構成するようにユーザ機器に指示するために、ＲＲＣメッセージをユーザ機器に対して送信するステップと、二次セル群内の少なくとも１つのアクティブにされた二次セルが非アクティブにされる場合に、二次セル群内の非アクティブにされた二次セルを再びアクティブにするようにユーザ機器に指示し、またアップリンク伝送を実行しないようにユーザ機器に指示するために、ＭＡＣ  ＣＥメッセージをユーザ機器に対して送信するステップ、および、次いで二次セル群の上でランダム・アクセス・プロシージャをトリガするようにユーザ機器に指示するためにＰＤＣＣＨ命令信号を送信するステップとを含む。
【００２４】
本発明の他の特徴、目的および利点は、図面を参照して非限定的な実施形態の以下の詳細な説明を読むとすぐにより明らかになるであろう。
【図面の簡単な説明】
【００２５】
【図１】本発明の一実施形態による、二次セルのＳＲＳ構成を構成解除する方法のフローチャートである。
【図２】本発明の一実施形態による、二次セルの構成解除されたＳＲＳ構成を再構成する方法のフローチャートである。
【図３】本発明の一実施形態による、二次セルを非アクティブにする方法のフローチャートである。
【図４】本発明の一実施形態による、非アクティブにされた二次セルを再びアクティブにする方法のフローチャートである。
【発明を実施するための形態】
【００２６】
図面全体を通して、同じまたは同様な参照番号は、同じまたは同様な基準ステップの特徴またはデバイス／モジュールを示すものである。
【００２７】
本発明のそれぞれの実施形態は、ユーザ機器１０の各タイム・アラインメント・グループが、タイム・アラインメント・タイマーを用いて構成されている場合のシナリオと、ユーザ機器１０が、タイム・アラインメント・タイマーを用いて構成されている場合のシナリオとについてそれぞれ以下で説明されるであろう。
【００２８】
一般性を失うことなく、以下の説明は、一例として１つの一次セル群ＰＧと、１つの二次セル群ＳＧとを用いて構成されているユーザ機器１０を取り上げて、与えられることになる。ユーザ機器１０は、実用的なアプリケーションにおいて、複数の二次セル群を用いて構成される可能性があり、またユーザ機器１０が、複数の二次セル群を用いて構成されている場合には、一次セル群ＰＧのタイム・アラインメント・タイマーが期限切れになるときに、各二次セル群の中の二次セルの上でユーザ機器１０のアップリンク伝送を制御することが必要であることが、理解されるべきである。アップリンク伝送は、サウンディング基準信号（ＳＲＳ：Ｓｏｕｎｄｉｎｇ  Ｒｅｆｅｒｅｎｃｅ  Ｓｉｇｎａｌ）伝送を含むことができる。
【００２９】
ユーザ機器１０の各タイム・アラインメント・グループが、タイム・アラインメント・タイマーを用いて構成されている場合のシナリオにおいては、一次セル群ＰＧと、二次セル群ＳＧとのおのおのは、タイム・アラインメント・タイマーを用いて構成されている。
【００３０】
具体的には、一実施形態において、一次セル群ＰＧのタイム・アラインメント・タイマーが期限切れになるときに、ユーザ機器１０は、二次セル群ＳＧの中の複数の二次セルのサウンディング基準信号（ＳＲＳ）伝送の構成を自動的に構成解除する。複数の二次セルは、二次セル群ＳＧの中の少なくとも１つのアクティブにされた二次セルを含んでいる。
【００３１】
別の実施形態においては、図１に示されるように、一次セル群ＰＧのタイム・アラインメント・タイマーが期限切れになるときに、基地局２０は、ステップＳ１１において、第１のＲＲＣメッセージをユーザ機器１０に対して送信する。第１のＲＲＣメッセージは、二次セル群の中の複数の二次セルのＳＲＳ構成を構成解除するために使用される。
【００３２】
ステップＳ１２において、ユーザ機器１０は、第１のＲＲＣメッセージを基地局２０から受信する。次いで、ステップＳ１３において、ユーザ機器１０は、受信された第１のＲＲＣメッセージに応じて、二次セル群ＳＧの中の複数の二次セルのＳＲＳ構成を構成解除する。複数の二次セルは、二次セル群ＳＧの中の少なくとも１つのアクティブにされた二次セルを含んでいる。
【００３３】
構成解除のシナリオに関しては、一次セル群ＰＧのタイム・アラインメント・タイマーが、図２に示されるように、計数を再開するときに、基地局２０は、ステップＳ２１において、第２のＲＲＣメッセージをユーザ機器１０に対して送信する。第２のＲＲＣメッセージは、二次セル群ＳＧの中の構成解除された二次セルのＳＲＳ構成を再構成するために使用される。
【００３４】
ステップＳ２２において、ユーザ機器１０は、第２のＲＲＣメッセージを基地局２０から受信する。次いで、ステップＳ２３において、ユーザ機器１０は、受信された第２のＲＲＣメッセージに応じて、二次セル群ＳＧの中の構成解除された二次セルのＳＲＳ構成を再構成する。
【００３５】
さらなる一実施形態においては、一次セル群ＰＧのタイム・アラインメント・タイマーが期限切れになるときに、ユーザ機器１０は、二次セル群ＳＧの中の少なくとも１つのアクティブにされた二次セルを自動的に非アクティブにし、例えば、ユーザ機器は、二次セル群ＳＧの中のアクティブにされた二次セルの非アクティブ化タイマーをディスエーブルにする。
【００３６】
さらなる一実施形態においては、図３に示されるように、一次セル群ＰＧのタイム・アラインメント・タイマーが期限切れになるときに、基地局２０は、ステップＳ３１において、第１のＭＡＣ  ＣＥメッセージをユーザ機器に対して送信する。第１のＭＡＣ  ＣＥメッセージは、二次セル群ＳＧの中の少なくとも１つのアクティブにされた二次セルを非アクティブにするために使用される。
【００３７】
ステップＳ３２において、ユーザ機器１０は、第１のＭＡＣ  ＣＥメッセージを基地局２０から受信する。次いで、ステップＳ３３において、ユーザ機器１０は、受信された第１のＭＡＣ  ＣＥメッセージに応じて、二次セル群ＳＧの中の少なくとも１つのアクティブにされた二次セルを非アクティブにし、例えば、二次セル群ＳＧの中のアクティブにされた二次セルの非アクティブ化タイマーをディスエーブルにする。
【００３８】
非アクティブ化のシナリオに関しては、一次セル群ＰＧのタイム・アラインメント・タイマーが、計数を再開するときに、ユーザ機器１０は、一実施形態において、二次セル群ＳＧの中の非アクティブ化された二次セルを自動的に再びアクティブにする。
【００３９】
別の実施形態においては、一次セル群ＰＧのタイム・アラインメント・タイマーが、図４に示されるように、計数を再開するときに、基地局２０は、ステップＳ４１において、第２のＭＡＣ  ＣＥメッセージをユーザ機器１０に対して送信する。第２のＭＡＣ  ＣＥメッセージは、二次セル群ＳＧの中の非アクティブにされた二次セルを再びアクティブにするために使用される。
【００４０】
ステップＳ４２において、ユーザ機器１０は、第２のＭＡＣ  ＣＥメッセージを基地局２０から受信する。次いで、ステップＳ４３において、ユーザ機器１０は、受信された第２のＭＡＣ  ＣＥメッセージに応じて、二次セル群ＳＧの中の非アクティブにされた二次セルを再びアクティブにする。
【００４１】
ユーザ機器１０が、タイム・アラインメント・タイマーを用いて構成されている場合のシナリオにおいては、一次セル群ＰＧと、二次セル群ＳＧとは、共通のタイム・アラインメント・タイマーを用いて構成されている。
【００４２】
このシナリオにおいては、新しい二次セル群・ステータスが、仮想−ＵＬ−ＳＹＮ（仮想アップリンク同期化）のステータスとして規定される。タイム・アラインメント・タイマーが動作しており、また二次セル群のタイム・アラインメント値がもはや有効ではないときに、二次セル群は、仮想−ＵＬ−ＳＹＮのステータスにあるものとして見なされる。
【００４３】
一実施形態においては、基地局２０は、二次セル群ＳＧが、仮想−ＵＬ−ＳＹＮのステータスにあるかどうかを判定し、すなわち、タイム・アラインメント・タイマーが依然として動作しているときに、二次セル群ＳＧのタイム・アラインメント値が有効であるかどうかを判定する。
【００４４】
二次セル群ＳＧのタイム・アラインメント値が無効である場合、そのときには基地局２０は、ＲＲＣメッセージをユーザ機器１０に対して送信する。ＲＲＣメッセージは、二次セル群ＳＧの中の複数の二次セルのＳＲＳ構成を構成解除するために使用される。
【００４５】
基地局２０からのＲＲＣメッセージの受信のすぐ後に、ユーザ機器１０は、ＲＲＣメッセージに応じて、二次セル群ＳＧの中の複数の二次セルのＳＲＳ構成を構成解除する。複数の二次セルは、二次セル群ＳＧの中の少なくとも１つのアクティブにされた二次セルを含んでいる。
【００４６】
代わりに、二次セル群ＳＧのタイム・アラインメント値が無効である場合、そのときには基地局２０は、ＭＡＣ  ＣＥメッセージをユーザ機器１０に対して送信する。ＭＡＣ  ＣＥメッセージは、二次セル群ＳＧの中のアクティブにされた二次セルを非アクティブにするために使用される。
【００４７】
基地局２０からのＭＡＣ  ＣＥメッセージの受信のすぐ後に、ユーザ機器１０は、ＭＡＣ  ＣＥメッセージに応じて、二次セル群ＳＧの中のアクティブにされた二次セルを非アクティブにし、例えば、二次セル群ＳＧの中のアクティブにされた二次セルの非アクティブ化タイマーをディスエーブルにする。
【００４８】
別の実施形態においては、ユーザ機器１０は、二次セル群ＳＧが、仮想−ＵＬ−ＳＹＮのステータスにあるかどうかを判定し、すなわち、タイム・アラインメント・タイマーが依然として動作しているときに、二次セル群ＳＧのタイム・アラインメント値が有効であるかどうかを判定する。
【００４９】
二次セル群ＳＧのタイム・アラインメント値が無効である場合、そのときにはユーザ機器１０は、二次セル群ＳＧの中の複数の二次セルのＳＲＳ構成を自動的に構成解除し、また二次セル群ＳＧの中の複数の二次セルのＳＲＳ構成が取り除かれたことを、基地局２０に通知する。複数の二次セルは、二次セル群ＳＧの中の少なくとも１つのアクティブにされた二次セルを含んでいる。
【００５０】
代わりに、二次セル群ＳＧのタイム・アラインメント値が無効である場合、そのときにはユーザ機器１０は、二次セル群ＳＧの中のアクティブにされた二次セルを自動的に非アクティブにし、例えば、ユーザ機器１０は、二次セル群ＳＧの中のアクティブにされた二次セルの非アクティブ化タイマーをディスエーブルにし、また二次セル群ＳＧの中のアクティブにされた二次セルが非アクティブにされることを、基地局２０に通知する。
【００５１】
変形の一実施形態においては、ユーザ機器１０は、二次セル群ＳＧが仮想−ＵＬ−ＳＹＮステータスのステータスにあることを判定するとすぐに、それ自体により、自動的な構成解除、または非アクティブ化オペレーションを実行する代わりに、二次セル群ＳＧが仮想−ＵＬ−ＳＹＮステータスの状態にあり、すなわち、二次セル群ＳＧのタイム・アラインメント値が無効であることを、基地局２０に通知する。
【００５２】
通知メッセージの受信のすぐ後に、基地局２０は、ＲＲＣメッセージをユーザ機器１０に対して送信することができ、そのＲＲＣメッセージは、二次セル群ＳＧの中の複数の二次セルのＳＲＳ構成を構成解除するために使用されており、また複数の二次セルは、二次セル群ＳＧの中の少なくとも１つのアクティブにされた二次セルを含んでおり、あるいは基地局２０は、ＭＡＣ  ＣＥメッセージをユーザ機器１０に対して送信し、そのＭＡＣ  ＣＥメッセージは、二次セル群ＳＧの中のアクティブにされた二次セルを非アクティブにするために使用されている。
【００５３】
基地局２０が、二次セル群ＳＧのタイム・アラインメント値が有効であるかどうかを判定する場合の上記シナリオに関しては、基地局２０だけが、二次セル群ＳＧのタイム・アラインメント値が有効であるかどうかを知っており、またユーザ機器１０は、常に、二次セル群ＳＧのタイム・アラインメント値が有効であることを考慮する。
【００５４】
このシナリオにおいては、タイム・アラインメント・タイマーが期限切れになるときに、以下の３つのシナリオが、仮定される可能性がある。
【００５５】
第１のシナリオにおいては、基地局２０が二次セル群ＳＧの有効なタイム・アラインメント値を有し、またユーザ機器１０が二次セル群ＳＧのタイム・アラインメント値を有していないように、基地局２０は、二次セル群ＳＧのタイム・アラインメント値を保持し、またユーザ機器１０は、二次セル群ＳＧのタイム・アラインメント値を破棄する。
【００５６】
第２のシナリオにおいては、基地局２０と、ユーザ機器１０との両方は、基地局２０もユーザ機器１０も二次セル群ＳＧのタイム・アラインメント値を有していないように、二次セル群ＳＧのタイム・アラインメント値が有効であるかどうかにかかわらず、二次セル群ＳＧのタイム・アラインメント値を破棄する。
【００５７】
第３のシナリオにおいては、基地局２０は、二次セル群ＳＧの有効なタイム・アラインメント値を保持するだけであり、またユーザ機器１０は、常に二次セル群ＳＧのタイム・アラインメント値を保持し、またそれが有効であることを考慮し、このようにして以下の２つの部分シナリオをもたらしている。
【００５８】
第１の部分シナリオにおいては、二次セル群ＳＧのタイム・アラインメント値が有効であるときに、基地局２０と、ユーザ機器１０との両方は、二次セル群ＳＧの有効なタイム・アラインメント値を有する。
【００５９】
第２の部分シナリオにおいては、二次セル群ＳＧのタイム・アラインメント値が無効であるときに、基地局は、二次セル群ＳＧのタイム・アラインメント値を有しておらず、またユーザ機器は、二次セル群ＳＧの無効なタイム・アラインメント値を有する。
【００６０】
第１のシナリオが、タイム・アラインメント・タイマーが期限切れになった後に起こって、タイム・アラインメント・タイマーが、計数を再開するときに、ユーザ機器１０は、どのようなランダム・アクセスも実行しないことになり、また基地局２０により保持される二次セル群ＳＧの有効なタイム・アラインメント値は、依然として使用される可能性がある。二次セル群ＳＧの上でアップリンク伝送を再開するために、基地局２０は、単に、二次セル群ＳＧの有効なタイム・アラインメント値についてユーザ機器１０に通知することになる。
【００６１】
具体的には、一実施形態において、基地局２０は、ＲＲＣメッセージを経由してユーザ機器１０に対して、有効なタイム・アラインメント値を送信する。
【００６２】
別の実施形態においては、基地局２０は、ＭＡＣ  ＣＥメッセージを経由してユーザ機器１０に対して有効なタイム・アラインメント値を送信する。
【００６３】
基地局２０からユーザ機器１０に対して送信される有効なタイム・アラインメント値は、例えば、絶対的タイム・アラインメント値または相対的タイム・アラインメント値とすることができる。
【００６４】
ユーザ機器１０が、有効なタイム・アラインメント値を取得した後に、二次セル群ＳＧは、自動的に、アップリンク同期化ステータスに変更され、またアップリンク伝送を再開することになる。
【００６５】
第２のシナリオが、タイム・アラインメント・タイマーが期限切れになった後に起こって、タイム・アラインメント・タイマーが、計数を再開するときに、二次セル群ＳＧは、仮想アップリンク同期化のステータスにあるはずであり、また二次セル群ＳＧの中の二次セルが、アクティブ／非アクティブのステータスにあるか、またはＳＲＳ構成された／構成解除されたステータスにあるかにかかわらず、どのようなアップリンク伝送も可能にしないことになる。
【００６６】
次いで、ランダム・アクセス・プロシージャが、有効なタイム・アラインメント値を取り戻すようにトリガされるべきである。
【００６７】
具体的には、二次セル群ＳＧの中の、ランダム・アクセスを用いて構成された二次セルが、すなわち、その上でランダム・アクセスが実行されるように構成されている二次セルが、アクティブな状態にある場合、そのときにはユーザ機器１０は、ランダム・アクセスを用いて構成された二次セルの上でランダム・アクセス・プロシージャを自動的にトリガする。
【００６８】
代わりに、基地局２０は、ＰＤＣＣＨ命令信号をユーザ機器１０に対して送信することができ、またＰＤＣＣＨ命令信号は、ランダム・アクセス・プロシージャをトリガするようにユーザ機器１０に指示するために使用される。ユーザ機器１０は、ＰＤＣＣＨ命令信号の受信のすぐ後に、ＰＤＣＣＨ命令信号に応じて、ランダム・アクセスを用いて構成された二次セルの上でランダム・アクセス・プロシージャをトリガする。
【００６９】
二次セル群ＳＧの中の、ランダム・アクセスを用いて構成された二次セルが、すなわち、その上でランダム・アクセスが実行されるように構成されている二次セルが、非アクティブな状態にある場合、そのときには基地局２０は、ＭＡＣ  ＣＥメッセージをユーザ機器１０に対して送信し、またそのＭＡＣ  ＣＥメッセージは、二次セル群ＳＧの中の、ランダム・アクセスを用いて構成された二次セルをアクティブにするようにユーザ機器１０に指示し、また８ｍｓ後にアップリンク伝送を実行しないようにユーザ機器１０に指示するために、またさらにランダム・アクセス・プロシージャをトリガするようにユーザ機器１０に指示するために使用される。ユーザ機器１０は、ＭＡＣ  ＣＥメッセージの受信のすぐ後に、ランダム・アクセスを用いて構成された二次セルの上でランダム・アクセス・プロシージャをアクティブにし、また次いでランダム・アクセスを用いて構成された二次セルの上で、ランダム・アクセス・プロシージャを自動的にトリガする。
【００７０】
代わりに、基地局２０は、最初に、ＭＡＣ  ＣＥメッセージをユーザ機器１０に対して送信し、そのＭＡＣ  ＣＥメッセージは、二次セル群ＳＧの中の、ランダム・アクセスを用いて構成された二次セルをアクティブにするようにユーザ機器１０に指示し、また８ｍｓ後にアップリンク伝送を実行しないようにユーザ機器１０に指示するために使用されており、また次いで基地局２０は、ＰＤＣＣＨ命令信号をユーザ機器１０に対して送信し、そのＰＤＣＣＨ命令信号は、ランダム・アクセス・プロシージャをトリガするようにユーザ機器１０に指示するために使用されている。
【００７１】
ユーザ機器１０は、受信されたＭＡＣ  ＣＥメッセージに応じて、二次セル群ＳＧの中の、ランダム・アクセスを用いて構成された二次セルをアクティブにし、また次いでＰＤＣＣＨ命令信号に応じて、ランダム・アクセスを用いて構成された二次セルの上でランダム・アクセス・プロシージャをトリガする。
【００７２】
第３のシナリオが、タイム・アラインメント・タイマーが期限切れになった後に起こって、タイム・アラインメント・タイマーが、計数を再開するときに、第１の部分シナリオでは、ユーザ機器１０は、第１の部分シナリオにおいて二次セル群ＳＧの有効なタイム・アラインメント値を有しており、そのようにしてユーザ機器１０は、新しいタイム・アラインメント値が、この部分シナリオにおいて基地局２０から受信されるまで、保持されたタイム・アラインメント値を用いてアップリンク伝送を自動的に単に再開することができる。
【００７３】
第２の部分シナリオにおいては、二次セル群ＳＧの中の、アクティブにされた二次セルのＳＲＳ構成が、構成解除される場合、そのときには基地局２０は、ＰＤＣＣＨ命令信号をユーザ機器１０に対して送信して、二次セル群ＳＧの上でランダム・アクセス・プロシージャをトリガするようにユーザ機器１０に指示し、また次いでＲＲＣメッセージをユーザ機器１０に対して送信して、二次セル群ＳＧの中の構成解除された二次セルのＳＲＳ構成を再構成する。
【００７４】
二次セル群ＳＧの中のアクティブにされた二次セルが、非アクティブにされる場合、そのときには基地局２０は、ＭＡＣ  ＣＥメッセージをユーザ機器１０に対して送信して、二次セル群ＳＧの中の非アクティブにされた二次セルを再びアクティブにするようにユーザ機器１０に指示し、アップリンク伝送を実行しないようにユーザ機器１０に指示し、また次いでＰＤＣＣＨ命令信号をユーザ機器１０に対して送信して、二次セル群ＳＧの上でランダム・アクセス・プロシージャをトリガするようにユーザ機器１０に指示する。
【００７５】
本発明の実施形態を上記に開示した。本発明は、上記実施形態だけに限定されることはないこと、および当業者なら、本発明の範囲を逸脱することなく、様々な変形形態および修正形態を作ることができることが、理解されるべきである。
【図１】
0005952401.tif 000002
【図２】
0005952401.tif 000003
【図３】
0005952401.tif 000004
【図４】
0005952401.tif 000005